(57)【要約】【課題】本発明は自動カクテルシェイカーを開示した。【解決手段】支え台及び前記支え台に固定された支え柱を含み、前記支え柱の左側にはカクテル機構が設けられ、前記支え柱の中には前記カクテル機構を振ることをコントロールする駆動機構が設けられ、自動的にカクテルシェイカーを振ることができ、カクテルを作ることを更に楽にし、人工でカクテルシェイカーを振る必要がなく、更にピストンを段階的にコントロールすることにより、酒の中の固体と液体とを分離させ、下のパイプから液体を流れさせ、液体の上層に浮いている泡を有効的に分離し、酒の純度を保証する。【選択図】図１
2020179090.tif 000002
【特許請求の範囲】
【請求項１】
支え台及び前記支え台に固定された支え柱を含み、前記支え柱の左側にはカクテル機構が設けられ、前記支え柱の中には前記カクテル機構を振ることをコントロールする駆動機構が設けられ、前記カクテル機構はカクテルシェイカー及び前記カクテルシェイカーとねじ山によって係合されたシェイカー蓋を含み、前記カクテルシェイカーの中には収納チャンバが設けられ、前記収納チャンバの右端壁の中には右方に開口した昇降チャンバが設けられ、前記昇降チャンバの中には前記駆動機構にコントロールされた昇降ロッドと押圧ロッドとが設けられ、前記昇降チャンバの上端壁には前記昇降ロッドの運動を制限する圧縮バネが二本固定され、前記昇降ロッドの左端には上端が外部空間に位置している押し出しロッドが設けられ、前記押圧ロッドの中にはスライドチャンバが設けられ、前記スライドチャンバの中には二つの前後に運動することができる押し板が設けられ、前記スライドチャンバの前後端壁にはいずれも二つの前記押し板の運動を制限する伸縮バネが設けられ、前記押し板の左端には貫通溝が設けられ、前記スライドチャンバの中にはスライド板も設けられ、前記スライド板の前後両端には前記スライド板の前後運動を制限し、かつ前記貫通溝を貫通している制限ロッドが設けられ、前記スライドチャンバの左端壁には前記スライド板の運動を制限する制限バネが設けられ、二つの前記加圧板の相対的な端面にはいずれも押しロッドがヒンジによって連結され、二つの前記押しロッドの一端がヒンジによって連結され、前記スライドチャンバの右端壁の中にはスライド溝が設けられ、前記スライド溝の中には左端が前記押しロッドに押されてスライドしているスライドロッドが設けられ、前記スライド溝の下端壁の中には制限溝が設けられ、前記制限溝の中には上端が前記スライドロッドと連結された制限ブロックが設けられ、前記制限溝の右端壁には制限ブロックを復帰させることができる復帰バネが設けられ、前記駆動機構は左方に開口した駆動チャンバを含み、前記駆動チャンバの右端壁にはモーターが設けられ、前記モーターの右端には駆動軸が動力が伝達できるように連結され、前記駆動軸にはカムが設けられ、前記駆動チャンバの上端壁には磁石が設けられ、前記昇降ロッドの右端が前記駆動チャンバの中に位置しており、かつ前記昇降ロッドの右端には前記磁石と近距離に互いに吸着することができる昇降ブロックが固定され、前記カムの下側には上げ板が設けられ、前記上げ板の左端には前記スライドロッドを収納できる収納溝が設けられ、その作用は、酒を前記収納チャンバの中に置いた後、前記駆動機構によって振ってカクテルを作ることを特徴とする自動カクテルシェイカー。
【請求項２】
前記カクテル機構は主流パイプと、外部空間と前記主流パイプとに連通している分流パイプも含み、前記分流パイプの中には固体又は大きな粒の不純物を濾過するフィルターが設けられ、前記主流パイプの中には前記分流パイプを塞くピストンが設けられ、前記ピストンの下端が外部空間の中に位置しており、かつ前記ピストンの下端には一つの連結ロッドが固定的に連結され、前記押圧ロッドの左端には下端が外部空間に位置している前記連結ロッドを運動連動させることができる伝動ロッドが設けられ、前記シェイカー蓋の中には円形チャンバが設けられ、前記円形チャンバの中には円盤が回転できるように設けられ、前記円盤の上端には上端が外部空間に位置している連結柱が設けられ、前記昇降ロッドの左端には下端が前記スライド板と連結された弾性ひもが設けられ、前記カクテル機構の作用はカクテル用品を収納し、かつカクテルを作り終わった後に固体と液体とを分離させることであることを特徴とする請求項１に記載の自動カクテルシェイカー。
【請求項３】
前記駆動機構は左方に開口した復帰チャンバも含み、前記復帰チャンバの中には固定ブロックが設けられ、前記固定ブロックの左端には左端が前記連結柱と連結され、かつ前記シェイカー蓋を宙に浮かせる固定ロッドが設けられ、前記復帰チャンバの上端壁には前記固定ブロックを復帰させることができる連結バネが設けられ、前記駆動チャンバの下端壁には前記上げ板を復帰させることができる上げバネが設けられ、前記駆動機構の作用は前記カクテル機構を振り連動させてカクテルを作ることであることを特徴とする請求項１に記載の自動カクテルシェイカー。
【発明の詳細な説明】
【技術分野】
【０００１】
本発明はカクテルシェイカー分野を取り上げて、具体的には自動カクテルシェイカーである。
【背景技術】
【０００２】
今、現階段ではカクテルを作る時に、ほとんどのバーテンダーは自らカクテルシェイカーを振ってカクテルを作り、バーテンダーの体力を大きく消耗し、またカクテルを取り出す時には直接に注ぐことが多く、泡や何らかの固体もバーテンダーが道具を使って分離させる必要があり、操作が更に煩雑になり、仕事の効率を上げることに不利である。
【先行技術文献】
【特許文献】
【０００３】
【特許文献１】中国特許出願公開第１０５１１２２５７号明細書
【発明の概要】
【発明が解決しようとする課題】
【０００４】
本発明の目的は自動カクテルシェイカーを提供し、それは上記の現在の技術中の問題を解決できる。
【課題を解決するための手段】
【０００５】
上記の課題を解決するため、本発明は以下の技術プランを採用する：本発明の自動カクテルシェイカーは、支え台及び前記支え台に固定された支え柱を含み、前記支え柱の左側にはカクテル機構が設けられ、前記支え柱の中には前記カクテル機構を振ることをコントロールする駆動機構が設けられ、前記カクテル機構はカクテルシェイカー及び前記カクテルシェイカーとねじ山によって係合されたシェイカー蓋を含み、前記カクテルシェイカーの中には収納チャンバが設けられ、前記収納チャンバの右端壁の中には右方に開口した昇降チャンバが設けられ、前記昇降チャンバの中には前記駆動機構にコントロールされた昇降ロッドと押圧ロッドとが設けられ、前記昇降チャンバの上端壁には前記昇降ロッドの運動を制限する圧縮バネが二本固定され、前記昇降ロッドの左端には上端が外部空間に位置している押し出しロッドが設けられ、前記押圧ロッドの中にはスライドチャンバが設けられ、前記スライドチャンバの中には二つの前後に運動することができる押し板が設けられ、前記スライドチャンバの前後端壁にはいずれも二つの前記押し板の運動を制限する伸縮バネが設けられ、前記押し板の左端には貫通溝が設けられ、前記スライドチャンバの中にはスライド板も設けられ、前記スライド板の前後両端には前記スライド板の前後運動を制限し、かつ前記貫通溝を貫通している制限ロッドが設けられ、前記スライドチャンバの左端壁には前記スライド板の運動を制限する制限バネが設けられ、二つの前記加圧板の相対的な端面にはいずれも押しロッドがヒンジによって連結され、二つの前記押しロッドの一端がヒンジによって連結され、前記スライドチャンバの右端壁の中にはスライド溝が設けられ、前記スライド溝の中には左端が前記押しロッドに押されてスライドしているスライドロッドが設けられ、前記スライド溝の下端壁の中には制限溝が設けられ、前記制限溝の中には上端が前記スライドロッドと連結された制限ブロックが設けられ、前記制限溝の右端壁には制限ブロックを復帰させることができる復帰バネが設けられ、前記駆動機構は左方に開口した駆動チャンバを含み、前記駆動チャンバの右端壁にはモーターが設けられ、前記モーターの右端には駆動軸が動力が伝達できるように連結され、前記駆動軸にはカムが設けられ、前記駆動チャンバの上端壁には磁石が設けられ、前記昇降ロッドの右端が前記駆動チャンバの中に位置しており、かつ前記昇降ロッドの右端には前記磁石と近距離に互いに吸着することができる昇降ブロックが固定され、前記カムの下側には上げ板が設けられ、前記上げ板の左端には前記スライドロッドを収納できる収納溝が設けられ、その作用は、酒を前記収納チャンバの中に置いた後、前記駆動機構によって振ってカクテルを作る。
【０００６】
優選の技術プランとして、前記カクテル機構は主流パイプと、外部空間と前記主流パイプとに連通している分流パイプも含み、前記分流パイプの中には固体又は大きな粒の不純物を濾過するフィルターが設けられ、前記主流パイプの中には前記分流パイプを塞くピストンが設けられ、前記ピストンの下端が外部空間の中に位置しており、かつ前記ピストンの下端には一つの連結ロッドが固定的に連結され、前記押圧ロッドの左端には下端が外部空間に位置している前記連結ロッドを運動連動させることができる伝動ロッドが設けられ、前記シェイカー蓋の中には円形チャンバが設けられ、前記円形チャンバの中には円盤が回転できるように設けられ、前記円盤の上端には上端が外部空間に位置している連結柱が設けられ、前記昇降ロッドの左端には下端が前記スライド板と連結された弾性ひもが設けられ、前記カクテル機構の作用はカクテル用品を収納し、かつカクテルを作り終わった後に固体と液体とを分離させることである。
【０００７】
優選の技術プランとして、前記駆動機構は左方に開口した復帰チャンバも含み、前記復帰チャンバの中には固定ブロックが設けられ、前記固定ブロックの左端には左端が前記連結柱と連結され、かつ前記シェイカー蓋を宙に浮かせる固定ロッドが設けられ、前記復帰チャンバの上端壁には前記固定ブロックを復帰させることができる連結バネが設けられ、前記駆動チャンバの下端壁には前記上げ板を復帰させることができる上げバネが設けられ、前記駆動機構の作用は前記カクテル機構を振り連動させてカクテルを作ることである。
【発明の効果】
【０００８】
本装置は構造が簡単で、操作が便利であり、自動的にカクテルシェイカーを振ることができ、カクテルを作ることを更に楽にし、人工でカクテルシェイカーを振る必要がなく、更にピストンを段階的にコントロールすることにより、酒の中の固体と液体とを分離させ、下のパイプから液体を流れさせ、液体の上層に浮いている泡を有効的に分離し、酒の純度を保証する。
【図面の簡単な説明】
【０００９】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。以下、図１−３を合わせて本発明について詳しく説明し、また、説明の便利を図るため、下記に記載の上下左右前後方向が図１自身の投影関係の上下左右前後方向と一致することにする。
【００１０】
【図１】図１は本発明の自動カクテルシェイカーの全体断面正面構成略図
【図２】図２は本発明の自動カクテルシェイカーの押圧ロッドの全体断面上面拡大構成略図
【図３】図３は本発明の自動カクテルシェイカーのカクテル機構の部分断面正面拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
以下、図１〜３を参照し、本発明の自動カクテルシェイカーは、支え台１及び前記支え台１に固定された支え柱２を含み、前記支え柱２の左側にはカクテル機構４６が設けられ、前記支え柱２の中には前記カクテル機構４６を振ることをコントロールする駆動機構４７が設けられ、前記カクテル機構４６はカクテルシェイカー１０及び前記カクテルシェイカー１０とねじ山によって係合されたシェイカー蓋１４を含み、前記カクテルシェイカー１０の中には収納チャンバ１３が設けられ、前記収納チャンバ１３の右端壁の中には右方に開口した昇降チャンバ９が設けられ、前記昇降チャンバ９の中には前記駆動機構４７にコントロールされた昇降ロッド２７と押圧ロッド１１とが設けられ、前記昇降チャンバ９の上端壁には前記昇降ロッド２７の運動を制限する圧縮バネ２０が二本固定され、前記昇降ロッド２７の左端には上端が外部空間に位置している押し出しロッド２１が設けられ、前記押圧ロッド１１の中にはスライドチャンバ３９が設けられ、前記スライドチャンバ３９の中には二つの前後に運動することができる押し板４１が設けられ、前記スライドチャンバ３９の前後端壁にはいずれも二つの前記押し板４１の運動を制限する伸縮バネ３８が設けられ、前記押し板４１の左端には貫通溝３６が設けられ、前記スライドチャンバ３９の中にはスライド板３５も設けられ、前記スライド板３５の前後両端には前記スライド板３５の前後運動を制限し、かつ前記貫通溝３６を貫通している制限ロッド３７が設けられ、前記スライドチャンバ３９の左端壁には前記スライド板３５の運動を制限する制限バネ１２が設けられ、二つの前記加圧板４１の相対的な端面にはいずれも押しロッド４０がヒンジによって連結され、二つの前記押しロッドの一端がヒンジによって連結され、前記スライドチャンバ３９の右端壁の中にはスライド溝４２が設けられ、前記スライド溝４２の中には左端が前記押しロッド４０に押されてスライドしているスライドロッド４８が設けられ、前記スライド溝４２の下端壁の中には制限溝４５が設けられ、前記制限溝４５の中には上端が前記スライドロッド４８と連結された制限ブロック４３が設けられ、前記制限溝４５の右端壁には制限ブロック４３を復帰させることができる復帰バネ４４が設けられ、前記駆動機構４７は左方に開口した駆動チャンバ２５を含み、前記駆動チャンバ２５の右端壁にはモーター２９が設けられ、前記モーター２９の右端には駆動軸３０が動力が伝達できるように連結され、前記駆動軸３０にはカム３１が設けられ、前記駆動チャンバ２５の上端壁には磁石２４が設けられ、前記昇降ロッド２７の右端が前記駆動チャンバ２５の中に位置しており、かつ前記昇降ロッド２７の右端には前記磁石２４と近距離に互いに吸着することができる昇降ブロック２８が固定され、前記カム３１の下側には上げ板３２が設けられ、前記上げ板３２の左端には前記スライドロッド４８を収納できる収納溝３３が設けられ、その作用は、酒を前記収納チャンバ１３の中に置いた後、前記駆動機構４７によって振ってカクテルを作る。
【００１３】
有益的には、前記カクテル機構４５は主流パイプ５と、外部空間と前記主流パイプ５とに連通している分流パイプ８も含み、前記分流パイプ８の中には固体又は大きな粒の不純物を濾過するフィルター７が設けられ、前記主流パイプ５の中には前記分流パイプ８を塞くピストン６が設けられ、前記ピストン６の下端が外部空間の中に位置しており、かつ前記ピストン６の下端には一つの連結ロッド４が固定的に連結され、前記押圧ロッド１１の左端には下端が外部空間に位置している前記連結ロッド４を運動連動させることができる伝動ロッド３が設けられ、前記シェイカー蓋１４の中には円形チャンバ２５が設けられ、前記円形チャンバ２５の中には円盤１６が回転できるように設けられ、前記円盤１６の上端には上端が外部空間に位置している連結柱１７が設けられ、前記昇降ロッド２７の左端には下端が前記スライド板３５と連結された弾性ひも２６が設けられ、前記カクテル機構の作用はカクテル用品を収納し、かつカクテルを作り終わった後に固体と液体とを分離させることである。
【００１４】
有益的には、前記駆動機構４７は左方に開口した復帰チャンバ２２も含み、前記復帰チャンバ２２の中には固定ブロック１９が設けられ、前記固定ブロック１９の左端には左端が前記連結柱１７と連結され、かつ前記シェイカー蓋１４を宙に浮かせる固定ロッド１８が設けられ、前記復帰チャンバ２２の上端壁には前記固定ブロック１９を復帰させることができる連結バネ２３が設けられ、前記駆動チャンバ２５の下端壁には前記上げ板３２を復帰させることができる上げバネ３４が設けられ、前記駆動機構４７の作用は前記カクテル機構４６を振り連動させてカクテルを作ることである。
【００１５】
以下、図１−３及び上記の本発明の自動カクテルシェイカーの具体的な構成を参照し、本発明の自動カクテルシェイカーの使用方法を詳しく説明する：
【００１６】
初期状態では、磁石２４と昇降ブロック２８とが互いに吸着し、弾性ひも２６が伸びている状態にあり、スライドロッド４８が二つの押しロッド４０に押されて、右端が駆動チャンバ２５の中に位置している。
【００１７】
ピストン６が主流パイプ５の中に塞かれると同時に分流パイプ８を塞き、カクテルの材料を収納チャンバ１３の中に入れ、シェイカー蓋１４とカクテルシェイカー１０とが回転できるように係合され、押し出しロッド２１が下に押して昇降ロッド２７と昇降ブロック２８とを降下させ、昇降ブロック２８とカム３１の上端とが接触し、昇降ロッド２７の降下により弾性ひも２６が緩くなり、スライド板３５が右に移動し、押しロッド４０の作用により押し板４１を前後両側に移動させ、スライドロッド４８の右端がスライド溝４２の中に戻り、モーター２９が作動して駆動軸３０を作動連動させ、これによりカム３１を回転連動させ、これにより昇降ブロック２８を昇降連動させ、昇降ブロック２８と昇降ロッド２７とが連結されているため、カクテル機構４６を昇降ブロック２８の昇降と伴い昇降させ、連結バネ２３がカクテル機構４６の運動に緩衝を提供し、カクテルを作り始める。
【００１８】
カクテルを作り終わった後、カクテルシェイカー１０を回転させ、シェイカー蓋１４を制限を失い、昇降ロッド２７と昇降ブロック２８とが圧縮バネ２０の作用により上昇し、昇降ブロック２８と磁石２４とが近接して互いに吸着し、これによりカクテル機構４６を相対的に固定させ、昇降ロッド２７の復帰によりスライドロッド４８の右端を復帰させ、モーター２９の回転が駆動軸３０とカム３１との回転をコントロールし、これにより上げ板３２を上昇させ、これによりスライドロッド４８の右端が収納溝３３の中に位置し、カム３１が上げ板３２をコントロールし降下させる時に、スライドロッド４８と押圧ロッド１１とを降下連動させ、これにより伝動ロッド３と、連結ロッド４及びピストン６を降下させ、主流パイプ５と分流パイプ８が連通されている時に、モーター２９が作動を止め、作り終わった液体を先に流れさせ、液体が流した後にモーター２９が続けて作動し、ピストン６を主流パイプ５から離れさせ、これにより収納チャンバ１３の中に固体が流れ出し、酒を取り出すことを完成する。
【００１９】
本発明の有益効果は：本装置は構造が簡単で、操作が便利であり、自動的にカクテルシェイカーを振ることができ、カクテルを作ることを更に楽にし、人工でカクテルシェイカーを振る必要がなく、更にピストンを段階的にコントロールすることにより、酒の中の固体と液体とを分離させ、下のパイプから液体を流れさせ、液体の上層に浮いている泡を有効的に分離し、酒の純度を保証する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179090.tif 000003
【図２】
2020179090.tif 000004
【図３】
2020179090.tif 000005
【手続補正書】
【提出日】令和1年7月14日(2019.7.14)
【手続補正１】
【補正対象書類名】特許請求の範囲
【補正対象項目名】全文
【補正方法】変更
【補正の内容】
【特許請求の範囲】
【請求項１】
支え台及び前記支え台に固定された支え柱を含み、前記支え柱の左側にはカクテル機構が設けられ、前記支え柱の中には前記カクテル機構を振ることをコントロールする駆動機構が設けられ、前記カクテル機構はカクテルシェイカー及び前記カクテルシェイカーを密封できるシェイカー蓋を含み、前記カクテルシェイカーの中には収納チャンバが設けられ、前記収納チャンバの右端壁の中には右方に開口した昇降チャンバが設けられ、前記昇降チャンバの中には前記駆動機構にコントロールされた昇降ロッドと押圧ロッドとが設けられ、前記昇降チャンバの上端壁には前記昇降ロッドの運動を制限する圧縮バネが二本固定され、前記昇降ロッドの左端には上端が外部空間に位置している押し出しロッドが設けられ、前記押圧ロッドの中にはスライドチャンバが設けられ、前記スライドチャンバの中には前後対称となり、かつ前後に移動できる押し板が二つ設けられ、前記スライドチャンバの前後端壁にはいずれも二つの前記押し板の運動を制限する伸縮バネが設けられ、前記押し板の左端には貫通溝が設けられ、前記スライドチャンバの中にはスライド板も設けられ、前記スライド板の前後両端には前記スライド板の前後運動を制限し、かつ前記貫通溝を貫通している制限ロッドが設けられ、前記スライドチャンバの左端壁には前記スライド板の運動を制限する制限バネが設けられ、二つの前記押し板の相対的な端面にはいずれも押しロッドがヒンジによって連結され、二つの前記押しロッドの一端がヒンジによって連結され、前記スライドチャンバの右端壁の中にはスライド溝が設けられ、前記スライド溝の中には左端が前記押しロッドに押されてスライドしているスライドロッドが設けられ、前記スライド溝の下端壁の中には制限溝が設けられ、前記制限溝の中には上端が前記スライドロッドと連結された制限ブロックが設けられ、前記制限溝の右端壁には制限ブロックを復帰させることができる復帰バネが設けられ、前記駆動機構は左方に開口した駆動チャンバを含み、前記駆動チャンバの右端壁にはモーターが設けられ、前記モーターの左端には駆動軸が動力が伝達できるように連結され、前記駆動軸にはカムが設けられ、前記駆動チャンバの上端壁には磁石が設けられ、前記昇降ロッドの右端が前記駆動チャンバの中に位置しており、かつ前記昇降ロッドの右端には前記磁石と近距離に互いに吸着することができる昇降ブロックが固定され、前記カムの下側には上げ板が設けられ、前記上げ板の左端には前記スライドロッドを収納できる収納溝が設けられ、その作用は、酒を前記収納チャンバの中に置いた後、前記駆動機構によって振ってカクテルを作ることを特徴とする自動カクテルシェイカー。
【請求項２】
前記カクテル機構は主流パイプと、外部空間と前記主流パイプとに連通している分流パイプも含み、前記分流パイプの中には固体又は大きな粒の不純物を濾過するフィルターが設けられ、前記主流パイプの中には前記分流パイプを塞くピストンが設けられ、前記ピストンの下端が外部空間の中に位置しており、かつ前記ピストンの下端には一つの連結ロッドが固定的に連結され、前記押圧ロッドの左端には下端が外部空間に位置している伝動ロッドが設けられ、前記伝動ロッドが前記連結ロッドを運動連動させることができ、前記シェイカー蓋の中には円形チャンバが設けられ、前記円形チャンバの中には円盤が回転できるように設けられ、前記円盤の上端には上端が外部空間に位置している連結柱が設けられ、前記昇降ロッドの左端には下端が前記スライド板と連結された弾性ひもが設けられ、前記カクテル機構の作用はカクテル用品を収納し、かつカクテルを作り終わった後に固体と液体とを分離させることであることを特徴とする請求項１に記載の自動カクテルシェイカー。
【請求項３】
前記駆動機構は左方に開口した復帰チャンバも含み、前記復帰チャンバの中には固定ブロックが設けられ、前記固定ブロックの左端には左端が前記連結柱と連結され、かつ前記シェイカー蓋を宙に浮かせる固定ロッドが設けられ、前記復帰チャンバの上端壁には前記固定ブロックを復帰させることができる連結バネが設けられ、前記駆動チャンバの下端壁には前記上げ板を復帰させることができる上げバネが設けられ、前記駆動機構の作用は前記カクテル機構を振り連動させてカクテルを作ることであることを特徴とする請求項１に記載の自動カクテルシェイカー。
【手続補正２】
【補正対象書類名】明細書
【補正対象項目名】全文
【補正方法】変更
【補正の内容】
【発明の詳細な説明】
【技術分野】
【０００１】
本発明はカクテルシェイカー分野を取り上げて、具体的には自動カクテルシェイカーである。
【背景技術】
【０００２】
今、現階段ではカクテルを作る時に、ほとんどのバーテンダーは自らカクテルシェイカーを振ってカクテルを作り、バーテンダーの体力を大きく消耗し、またカクテルを取り出す時には直接に注ぐことが多く、泡や何らかの固体もバーテンダーが道具を使って分離させる必要があり、操作が更に煩雑になり、仕事の効率を上げることに不利である。
【先行技術文献】
【特許文献】
【０００３】
【特許文献１】中国特許出願公開第１０５１１２２５７号明細書
【発明の概要】
【発明が解決しようとする課題】
【０００４】
本発明の目的は自動カクテルシェイカーを提供し、それは上記の現在の技術中の問題を解決できる。
【課題を解決するための手段】
【０００５】
上記の課題を解決するため、本発明は以下の技術プランを採用する：本発明の自動カクテルシェイカーは、支え台及び前記支え台に固定された支え柱を含み、前記支え柱の左側にはカクテル機構が設けられ、前記支え柱の中には前記カクテル機構を振ることをコントロールする駆動機構が設けられ、前記カクテル機構はカクテルシェイカー及び前記カクテルシェイカーを密封できるシェイカー蓋を含み、前記カクテルシェイカーの中には収納チャンバが設けられ、前記収納チャンバの右端壁の中には右方に開口した昇降チャンバが設けられ、前記昇降チャンバの中には前記駆動機構にコントロールされた昇降ロッドと押圧ロッドとが設けられ、前記昇降チャンバの上端壁には前記昇降ロッドの運動を制限する圧縮バネが二本固定され、前記昇降ロッドの左端には上端が外部空間に位置している押し出しロッドが設けられ、前記押圧ロッドの中にはスライドチャンバが設けられ、前記スライドチャンバの中には前後対称となり、かつ前後に移動できる押し板が二つ設けられ、前記スライドチャンバの前後端壁にはいずれも二つの前記押し板の運動を制限する伸縮バネが設けられ、前記押し板の左端には貫通溝が設けられ、前記スライドチャンバの中にはスライド板も設けられ、前記スライド板の前後両端には前記スライド板の前後運動を制限し、かつ前記貫通溝を貫通している制限ロッドが設けられ、前記スライドチャンバの左端壁には前記スライド板の運動を制限する制限バネが設けられ、二つの前記押し板の相対的な端面にはいずれも押しロッドがヒンジによって連結され、二つの前記押しロッドの一端がヒンジによって連結され、前記スライドチャンバの右端壁の中にはスライド溝が設けられ、前記スライド溝の中には左端が前記押しロッドに押されてスライドしているスライドロッドが設けられ、前記スライド溝の下端壁の中には制限溝が設けられ、前記制限溝の中には上端が前記スライドロッドと連結された制限ブロックが設けられ、前記制限溝の右端壁には制限ブロックを復帰させることができる復帰バネが設けられ、前記駆動機構は左方に開口した駆動チャンバを含み、前記駆動チャンバの右端壁にはモーターが設けられ、前記モーターの左端には駆動軸が動力が伝達できるように連結され、前記駆動軸にはカムが設けられ、前記駆動チャンバの上端壁には磁石が設けられ、前記昇降ロッドの右端が前記駆動チャンバの中に位置しており、かつ前記昇降ロッドの右端には前記磁石と近距離に互いに吸着することができる昇降ブロックが固定され、前記カムの下側には上げ板が設けられ、前記上げ板の左端には前記スライドロッドを収納できる収納溝が設けられ、その作用は、酒を前記収納チャンバの中に置いた後、前記駆動機構によって振ってカクテルを作る。
【０００６】
優選の技術プランとして、前記カクテル機構は主流パイプと、外部空間と前記主流パイプとに連通している分流パイプも含み、前記分流パイプの中には固体又は大きな粒の不純物を濾過するフィルターが設けられ、前記主流パイプの中には前記分流パイプを塞くピストンが設けられ、前記ピストンの下端が外部空間の中に位置しており、かつ前記ピストンの下端には一つの連結ロッドが固定的に連結され、前記押圧ロッドの左端には下端が外部空間に位置している伝動ロッドが設けられ、前記伝動ロッドが前記連結ロッドを運動連動させることができ、前記シェイカー蓋の中には円形チャンバが設けられ、前記円形チャンバの中には円盤が回転できるように設けられ、前記円盤の上端には上端が外部空間に位置している連結柱が設けられ、前記昇降ロッドの左端には下端が前記スライド板と連結された弾性ひもが設けられ、前記カクテル機構の作用はカクテル用品を収納し、かつカクテルを作り終わった後に固体と液体とを分離させることである。
【０００７】
優選の技術プランとして、前記駆動機構は左方に開口した復帰チャンバも含み、前記復帰チャンバの中には固定ブロックが設けられ、前記固定ブロックの左端には左端が前記連結柱と連結され、かつ前記シェイカー蓋を宙に浮かせる固定ロッドが設けられ、前記復帰チャンバの上端壁には前記固定ブロックを復帰させることができる連結バネが設けられ、前記駆動チャンバの下端壁には前記上げ板を復帰させることができる上げバネが設けられ、前記駆動機構の作用は前記カクテル機構を振り連動させてカクテルを作ることである。
【発明の効果】
【０００８】
本装置は構造が簡単で、操作が便利であり、自動的にカクテルシェイカーを振ることができ、カクテルを作ることを更に楽にし、人工でカクテルシェイカーを振る必要がなく、更にピストンを段階的にコントロールすることにより、酒の中の固体と液体とを分離させ、下のパイプから液体を流れさせ、液体の上層に浮いている泡を有効的に分離し、酒の純度を保証する。
【図面の簡単な説明】
【０００９】
下記に図1〜３をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１０】
【図１】図１は本発明の自動カクテルシェイカーの全体断面正面構成略図
【図２】図２は本発明の自動カクテルシェイカーの押圧ロッドの全体断面上面拡大構    成略図
【図３】図３は本発明の自動カクテルシェイカーのカクテル機構の部分断面正面拡大    構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
以下、図１〜３を参照し、本発明の自動カクテルシェイカーは、支え台１及び前記支え台１に固定された支え柱２を含み、前記支え柱２の左側にはカクテル機構４６が設けられ、前記支え柱２の中には前記カクテル機構４６を振ることをコントロールする駆動機構４７が設けられ、前記カクテル機構４６はカクテルシェイカー１０及び前記カクテルシェイカー１０を密封できるシェイカー蓋１４を含み、前記カクテルシェイカー１０の中には収納チャンバ１３が設けられ、前記収納チャンバ１３の右端壁の中には右方に開口した昇降チャンバ９が設けられ、前記昇降チャンバ９の中には前記駆動機構４７にコントロールされた昇降ロッド２７と押圧ロッド１１とが設けられ、前記昇降チャンバ９の上端壁には前記昇降ロッド２７の運動を制限する圧縮バネ２０が二本固定され、前記昇降ロッド２７の左端には上端が外部空間に位置している押し出しロッド２１が設けられ、前記押圧ロッド１１の中にはスライドチャンバ３９が設けられ、前記スライドチャンバ３９の中には前後対称となり、かつ前後に移動できる押し板４１が二つ設けられ、前記スライドチャンバ３９の前後端壁にはいずれも二つの前記押し板４１の運動を制限する伸縮バネ３８が設けられ、前記押し板４１の左端には貫通溝３６が設けられ、前記スライドチャンバ３９の中にはスライド板３５も設けられ、前記スライド板３５の前後両端には前記スライド板３５の前後運動を制限し、かつ前記貫通溝３６を貫通している制限ロッド３７が設けられ、前記スライドチャンバ３９の左端壁には前記スライド板３５の運動を制限する制限バネ１２が設けられ、二つの前記押し板４１の相対的な端面にはいずれも押しロッド４０がヒンジによって連結され、二つの前記押しロッドの一端がヒンジによって連結され、前記スライドチャンバ３９の右端壁の中にはスライド溝４２が設けられ、前記スライド溝４２の中には左端が前記押しロッド４０に押されてスライドしているスライドロッド４８が設けられ、前記スライド溝４２の下端壁の中には制限溝４５が設けられ、前記制限溝４５の中には上端が前記スライドロッド４８と連結された制限ブロック４３が設けられ、前記制限溝４５の右端壁には制限ブロック４３を復帰させることができる復帰バネ４４が設けられ、前記駆動機構４７は左方に開口した駆動チャンバ２５を含み、前記駆動チャンバ２５の右端壁にはモーター２９が設けられ、前記モーター２９の左端には駆動軸３０が動力が伝達できるように連結され、前記駆動軸３０にはカム３１が設けられ、前記駆動チャンバ２５の上端壁には磁石２４が設けられ、前記昇降ロッド２７の右端が前記駆動チャンバ２５の中に位置しており、かつ前記昇降ロッド２７の右端には前記磁石２４と近距離に互いに吸着することができる昇降ブロック２８が固定され、前記カム３１の下側には上げ板３２が設けられ、前記上げ板３２の左端には前記スライドロッド４８を収納できる収納溝３３が設けられ、その作用は、酒を前記収納チャンバ１３の中に置いた後、前記駆動機構４７によって振ってカクテルを作る。
【００１３】
有益的には、前記カクテル機構４５は主流パイプ５と、外部空間と前記主流パイプ５とに連通している分流パイプ８も含み、前記分流パイプ８の中には固体又は大きな粒の不純物を濾過するフィルター７が設けられ、前記主流パイプ５の中には前記分流パイプ８を塞くピストン６が設けられ、前記ピストン６の下端が外部空間の中に位置しており、かつ前記ピストン６の下端には一つの連結ロッド４が固定的に連結され、前記押圧ロッド１１の左端には下端が外部空間に位置している伝動ロッド３が設けられ、前記伝動ロッド３が前記連結ロッド４を運動連動させることができ、前記シェイカー蓋１４の中には円形チャンバが設けられ、前記円形チャンバの中には円盤１６が回転できるように設けられ、前記円盤１６の上端には上端が外部空間に位置している連結柱１７が設けられ、前記昇降ロッド２７の左端には下端が前記スライド板３５と連結された弾性ひも２６が設けられ、前記カクテル機構の作用はカクテル用品を収納し、かつカクテルを作り終わった後に固体と液体とを分離させることである。
【００１４】
有益的には、前記駆動機構４７は左方に開口した復帰チャンバ２２も含み、前記復帰チャンバ２２の中には固定ブロック１９が設けられ、前記固定ブロック１９の左端には左端が前記連結柱１７と連結され、かつ前記シェイカー蓋１４を宙に浮かせる固定ロッド１８が設けられ、前記復帰チャンバ２２の上端壁には前記固定ブロック１９を復帰させることができる連結バネ２３が設けられ、前記駆動チャンバ２５の下端壁には前記上げ板３２を復帰させることができる上げバネ３４が設けられ、前記駆動機構４７の作用は前記カクテル機構４６を振り連動させてカクテルを作ることである。
【００１５】
以下、図１−３及び上記の本発明の自動カクテルシェイカーの具体的な構成を参照し、本発明の自動カクテルシェイカーの使用方法を詳しく説明する：
【００１６】
初期状態では、磁石２４と昇降ブロック２８とが互いに吸着し、弾性ひも２６が伸びている状態にあり、スライドロッド４８が二つの押しロッド４０に押されて、右端が駆動チャンバ２５の中に位置している。
【００１７】
ピストン６が主流パイプ５の中に塞かれると同時に分流パイプ８を塞き、カクテルの材料を収納チャンバ１３の中に入れ、シェイカー蓋１４によりカクテルシェイカー１０を密封し、押し出しロッド２１が下に押して昇降ロッド２７と昇降ブロック２８とを降下させ、昇降ブロック２８とカム３１の上端とが接触し、昇降ロッド２７の降下により弾性ひも２６が緩くなり、スライド板３５が右に移動し、押しロッド４０の作用により押し板４１を前後両側に移動させ、スライドロッド４８の右端がスライド溝４２の中に戻り、モーター２９が作動して駆動軸３０を作動連動させ、これによりカム３１を回転連動させ、これにより昇降ブロック２８を昇降連動させ、昇降ブロック２８と昇降ロッド２７とが連結されているため、カクテル機構４６を昇降ブロック２８の昇降と伴い昇降させ、連結バネ２３がカクテル機構４６の運動に緩衝を提供し、カクテルを作り始める。
【００１８】
カクテルを作り終わった後、使用者はカクテルシェイカー１０を回転させ、シェイカー蓋１４を制限を失い、昇降ロッド２７と昇降ブロック２８とが圧縮バネ２０の作用により上昇し、昇降ブロック２８と磁石２４とが近接して互いに吸着し、これによりカクテル機構４６を相対的に固定させ、昇降ロッド２７の復帰によりスライドロッド４８の右端を復帰させ、モーター２９の回転が駆動軸３０とカム３１との回転をコントロールし、これにより上げ板３２を上昇させ、これによりスライドロッド４８の右端が収納溝３３の中に位置し、カム３１が上げ板３２をコントロールし降下させる時に、スライドロッド４８と押圧ロッド１１とを降下連動させ、これにより伝動ロッド３と、連結ロッド４及びピストン６を降下させ、主流パイプ５と分流パイプ８が連通されている時に、モーター２９が作動を止め、作り終わった液体を先に流れさせ、液体が流した後にモーター２９が続けて作動し、ピストン６を主流パイプ５から離れさせ、これにより収納チャンバ１３の中に固体が流れ出し、酒を取り出すことを完成する。
【００１９】
本発明の有益効果は：本装置は構造が簡単で、操作が便利であり、自動的にカクテルシェイカーを振ることができ、カクテルを作ることを更に楽にし、人工でカクテルシェイカーを振る必要がなく、更にピストンを段階的にコントロールすることにより、酒の中の固体と液体とを分離させ、下のパイプから液体を流れさせ、液体の上層に浮いている泡を有効的に分離し、酒の純度を保証する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。